(57)【特許請求の範囲】
【請求項１】
中途部に巻取ホイールを回転自在に軸受けするシャッターの巻取固定軸の端部に、該巻取固定軸の軸方向と直交する方向に貫通して設けられるとともに、該巻取固定軸に対して着脱自在に設けられる固定ピンと、
シャッターケース内の側板面に配設され、上向きの開放部を有する略コ字状に形成されて前記巻取固定軸の端部を支持するとともに、前記固定ピンが嵌入する溝を左右側板の上縁に有した軸受ブラケットと、
前記溝内に嵌入される前記固定ピンの両端を保持する係止部と、
を具備し、前記係止部は、前記軸受ブラケットの左右の外側に位置する弾性を有する左右係止片を有し、前記巻取固定軸に予め前記固定ピンを取り付けた状態で、該巻取固定軸を前記軸受ブラケットに対して取り付けて支持させるとともに、前記固定ピンを前記溝内に嵌入させる時に、前記係止片が弾性変形し、嵌入後係止片が初期の状態に復帰して、それぞれの前記係止片が固定ピンの両端を押さえて保持することを特徴とするシャッターの巻取固定軸支持構造。
【請求項２】
前記左右係止片（１９）は、垂直板部（２０）と、この垂直板部（２０）の上縁に水平に延出する係止板部（２１）と、この係止板部（２１）の先端縁に対し仰角方向となって延出形成される斜辺部（２２）とを有し、前記巻取固定軸に予め前記固定ピンを取り付けた状態で、該巻取固定軸を前記軸受ブラケットに対して取り付けて支持させるとともに、前記固定ピンを前記溝内に嵌入させる時に、斜辺部（２２）によって、前記固定ピンの両端を前記溝内に導くようにしたことを特徴とする請求項１記載のシャッターの巻取固定軸支持構造。
【請求項３】
前記係止部（１５）は、弾性を有する板状の部材よりなり、水平板部（１６）と、水平板部（１６）の一方の側縁から垂直下方に延出する固定板部（１７）と、水平板部（１６）の他方の側縁の左右に形成される左右一対の係止片（１９）と、を有し、各係止片（１９）は、水平板部（１６）の他方の側縁より垂直上方に延出形成される垂直板部（２０）と、垂直板部（２０）の上縁に水平に延出する係止板部（２１）と、係止板部（２１）の先端縁に対し仰角方向となって延出形成される斜辺部（２２）とで形成され、固定板部（１７）を前記シャッターケース内の側板面に固定した時に、その前記左右の各係止片（１９）が、前記軸受ブラケットの左右側板の外側に位置することを特徴とする請求項１又は２に記載のシャッターの巻取固定軸支持構造。
【発明の詳細な説明】
【０００１】
【発明の属する技術分野】
本発明は、シャッターの巻取固定軸をシャッターケース内に配設する際に、この巻取固定軸の端部を支持するシャッターの巻取固定軸支持構造に関するものである。
【０００２】
【従来の技術】
一般に、シャッターカーテンを巻き取るための巻取ホイールを回転自在に軸受けする巻取固定軸は、その端部をシャッターケースの側板面に固設される軸受ブラケットに固定保持され、シャッターケース内に略水平に架設されるようになっている。
【０００３】
従来、この巻取固定軸の端部を保持し、シャッターケースの側板面に固設する軸受ブラケットの構造は、上向きに開放部を有するコ字状に形成されているとともに、この軸受ブラケットに対して巻取固定軸が容易に回転せず、かつ容易に脱落しないように、軸受ブラケットの一対の側板と巻取固定軸とにボルトを貫通させて互いを固定するような構造となっていた。
【０００４】
【発明が解決しようとする課題】
しかしながら、上述した従来の巻取固定軸の固定構造では、シャッター装置として組み立てる場合に、シャッターケース内に上記巻取固定軸を固定させる際、軸受ブラケットの一対の側板に穿設される貫通孔と、巻取固定軸の端部に軸方向と直交して穿設される貫通孔とを、この軸端部を軸受ブラケットに嵌入させた後に、互いに対応させて各貫通孔を貫通するようにボルトを挿通させ、ナットにて締結固定させる構造となっており、すなわち、この巻取固定軸をシャッターケース内に配設する際、上記した煩雑な作業を狭い場所にて行わなければならず、容易に固定させることが困難であった。
【０００５】
そこで本発明は、上記問題点を解消するために、シャッターの巻取固定軸をシャッターケースの側板面に配設されている軸受ブラケットに取り付ける際に、容易にこの軸受ブラケットに巻取固定軸の端部を取り付けることを可能とし、施工作業を簡易なものとすることの可能なシャッターの巻取固定軸支持構造を提供することを目的としている。
【０００６】
【課題を解決するための手段】
次に、上記の課題を解決するための手段を、実施の形態に対応する図面を参照して説明する。
この発明のシャッターの巻取固定軸支持構造１は、中途部に巻取ホイールを回転自在に軸受けするシャッターの巻取固定軸３０の端部３１に、該巻取固定軸３０の軸方向と直交する方向に貫通して設けられるとともに、該巻取固定軸３０に対して着脱自在に設けられる固定ピン２と、シャッターケース３５内の側板面３７に配設され、上向きの開放部１２を有する略コ字状に形成されて前記巻取固定軸３０の端部３１を支持するとともに、前記固定ピン２が嵌入する溝１４を左右側板の上縁に有した軸受ブラケット８と、前記溝１４内に嵌入される前記固定ピン２の両端を保持する係止部１５と、を具備している。
そして、前記係止部１５は、前記軸受ブラケット８の左右の外側に位置する弾性を有する左右係止片１９（１９’）を有し、前記巻取固定軸３０に予め前記固定ピン２を取り付けた状態で、該巻取固定軸３０を前記軸受ブラケット８に対して取り付けて支持させるとともに、前記固定ピン２を前記溝１４内に嵌入させる時に、前記係止片１９（１９’）が弾性変形し、嵌入後係止片１９（１９’）が初期の状態に復帰して、それぞれの前記係止片１９（１９’）が固定ピン２の両端を押さえて保持することを特徴としている。
前記左右係止片１９は、垂直板部２０と、この垂直板部２０の上縁に水平に延出する係止板部２１と、この係止板部２１の先端縁に対し仰角方向となって延出形成される斜辺部２２とを有し、前記巻取固定軸に予め前記固定ピンを取り付けた状態で、該巻取固定軸を前記軸受ブラケットに対して取り付けて支持させるとともに、前記固定ピンを前記溝内に嵌入させる時に、斜辺部２２によって、前記固定ピンの両端を前記溝内に導くようにした構成とすることができる。
さらに、前記係止部１５は、弾性を有する板状の部材よりなり、水平板部１６と、水平板部１６の一方の側縁から垂直下方に延出する固定板部１７と、水平板部１６の他方の側縁の左右に形成される左右一対の係止片１９と、を有し、各係止片１９は、水平板部１６の他方の側縁より垂直上方に延出形成される垂直板部２０と、垂直板部２０の上縁に水平に延出する係止板部２１と、係止板部２１の先端縁に対し仰角方向となって延出形成される斜辺部２２とで形成され、固定板部１７を前記シャッターケース内の側板面に固定した時に、その前記左右の各係止片１９が、前記軸受ブラケットの左右側板の外側に位置する構成とすることができる。
【０００７】
このような構成により、シャッターの巻取固定軸３０をシャッターケース３５内に取り付ける際、巻取固定軸３０の端部３１を側板面３７の軸受ブラケット８に嵌め込む作業のみで、巻取固定軸３０の端部３１に予め取り付けられている固定ピン２が軸受ブラケット８の溝１４内に嵌入し、この溝１４内で係止部１５が固定ピン２を保持するので、その取り付けが完了し、巻取固定軸３０は、軸受ブラケット８に支持されることとなる。
なお、この巻取固定軸３０を軸受ブラケット８から取り外す際は、巻取固定軸３０に対して固定ピン２が着脱自在とされているので、この固定ピン２を巻取固定軸３０から抜きさることで、巻取固定軸３０は軸受ブラケット８から外すことが可能となる。
【０００８】
【発明の実施の形態】
図１は本発明によるシャッターの巻取固定軸支持構造の実施の形態を示す斜視図である。
【０００９】
本発明の巻取固定軸支持構造１は、固定ピン２と、軸受ブラケット８と、係止部１５とで大略構成されている。
【００１０】
なお、従来の技術で述べたように、巻取固定軸３０には、シャッターカーテン（図示せず）を巻き取るための巻取ホイールが回転自在に軸受けされて複数設けられるとともに、この巻取ホイールと巻取固定軸３０との間にコイルスプリングが介設され、この巻取固定軸３０が、シャッターケース３５内に略水平に架設されるものである。
【００１１】
まず、固定ピン２は、図２に示すように、本実施の形態では、頭部３が形成される軸部４とネジ部５とを有するボルト６と、このボルト６のネジ部５に螺着されるナット７とで構成される。
ボルト６は、その長さが、巻取固定軸３０の直径より十分に長尺に形成され、例えば巻取固定軸３０の直径の約２倍の長さに形成されている。
【００１２】
そして、巻取固定軸３０の端部３１に、この巻取固定軸３０の軸方向に対して直交し、その直径線上に貫通して穿設されている貫通孔３２を貫通するように、この固定ピン２が挿入されて取り付けられる。
【００１３】
この取り付けられている状態の固定ピン２は、巻取固定軸３０の端部３１に対して、軸部４が一方に延出するとともに、ネジ部５の先端側が他方に延出するように、この巻取固定軸３０に挿着され、延出するネジ部５にはボルト６の抜け止めとなるナット７が螺着される。
【００１４】
次に、軸受ブラケット８は、図３に示すように、底板９と左右一対の側板１０，１１とで上向きに開放部１２を有する略コ字状に形成されているとともに、左右の各側板１０，１１にそれぞれ外方向に延出する一対の固定片１３が設けられている。
各側板１０，１１の内面間の間隔は、巻取固定軸３０の直径と略同等の長さに設定されている。
【００１５】
また、この軸受ブラケット８の各側板１０、１１には、上縁の中央部分から板面の略中央にかけてＵ字状に形成され、すなわち開放部１２と同様に上向きに開放する溝１４がそれぞれ設けられている。
これら溝１４の幅長は、固定ピン１のボルト６の直径と略同等の長さに設定されている。
【００１６】
そして、この軸受ブラケット８は、シャッターケース３５を構成する左右の側板であるブラケット３６における互いに対向する内側面３７の略中央に位置させて、各固定片１３をネジなどの固定手段を用いることによって固定される。
【００１７】
次に、係止部１５は、弾性を有する板状のばね鋼などの素材よりなり、図４に示すように、水平板部１６と、この水平板部１６の一方の側縁から垂直下方に延出する固定板部１７とで断面Ｌ字状に形成されている基部１８を有し、この基部１８の水平板部１６における他方の側縁に、左右一対で構成される係止片１９が、この基部１８と一体に延出形成されている。
【００１８】
各係止片１９は、図４に示すように、水平板部１６の他方の側縁より垂直上方向に延出形成される垂直板部２０と、この垂直板部２０の上縁に水平に延出し水平板部１６と平行となる係止板部２１と、この係止板部２１の先端縁に対し仰角方向となって所定の傾斜角度に延出形成される斜辺部２２とで、断面略Ｚ字状に形成されているとともに、係止板部２１と斜辺部２２とで、略鉤状に形成され、左右それぞれの係止片１９の間隔は、前述した軸受ブラケット８の左右幅長よりやや長く設定され形成されている。
【００１９】
そして、この係止部１５は、図６に示すように、シャッターケース３５の左右ブラケット３６における互いに対向する内側面３７に固定された軸受ブラケット８の、左右側板１０，１１の各外側に、左右各係止片１９，１９が位置するように基部１８の固定板部１７がブラケット３６の内側面３７にネジなどの固定手段にて固定される。
【００２０】
なお、この固定された状態において、各係止片１９の係止板部２１が、軸受ブラケット８の各溝１４に近接し、図５に示すように、軸受ブラケット８の各側板１０，１１の上縁よりやや下部に位置するとともに、この係止板部２１の先端の位置が溝部１４の縁部に近接する位置となるように設定される。
【００２１】
次に、上述した構成の巻取固定軸支持構造１によるシャッターの巻取固定軸３０の軸受ブラケット８への取付手順について説明する。
【００２２】
まず、巻取固定軸３０の端部３１に穿設されている貫通孔３２に、固定ピン２を構成するボルト６を挿入し貫通させる。
【００２３】
次に、延出したボルト６のネジ部５にナット６を螺着させ、巻取固定軸３０にボルト６を固定状態とし固定ピン２を構成させる。この状態で、固定ピン２は、図２に示すように、巻取固定軸３０の軸方向に対し直交して、頭部３側の軸部４と、先端側のネジ部５とが、略同等の長さに延出する。
【００２４】
次に、シャッターケース３５のブラケット３６に固定されている係止部１５の各係止片１９の上方から、固定ピン２が取り付けられている巻取固定軸３０の端部３１を降下させる。
【００２５】
そして、各係止片１９の斜辺部２２に固定ピン２の両端が当接すると、この斜辺部２２によって、固定ピン２の両端が溝１４の方向に導かれるようになり、さらに、巻取固定軸３０の端部３１を押下させると、各係止片１９は後退方向に弾性変形を起こし、これにより、固定ピン２の両端が軸受ブラケット８の溝１４内に嵌入し、巻取固定軸３０の端部３１が軸受ブラケット８の開放部１２より両側板１０，１１間に嵌入する。
【００２６】
嵌入後、各係止片１９は、弾性を有することから初期の状態に復帰し、それぞれの係止板部２１が固定ピン２の両端を上方から押さえ保持することとなり、これにより、巻取固定軸３０の軸受ブラケット８への取り付けが完了する。
なお、この係止片１９により保持された固定ピン２の両端における頭部３とナット７の形状が異なることによる固定ピン２の直径の差などは、係止部１５の弾性による変形で吸収され、すなわち固定ピン２は確実に係止部１５により保持される。
【００２７】
また、この軸受ブラケット８に取り付けられた巻取固定軸３０を、保守作業などの際に、軸受ブラケット８から取り外す場合は、係止部１５の係止板部２１と軸受ブラケット８の溝１４に保持されている固定ピン２のナット７を取り外し、ボルト６を引き抜くことで、巻取固定軸３０は、軸受ブラケット８に載置されているのみの状態となることから、この軸受ブラケット８より上方に巻取固定軸３０を持ち上げるのみで、シャッターケース３５のブラケット３６から巻取固定軸３０を取り出すことが可能となる。
【００２８】
従ってこのように構成されたシャッターの巻取固定軸支持構造１では、巻取固定軸３０の端部３１を軸受ブラケット８に取り付ける際に、この軸受ブラケット８へ巻取固定軸３０を嵌入させるとともに、この巻取固定軸３０の端部３１に、軸方向と直交して貫通されて予め取り付けられる固定ピン２を、軸受ブラケット８の溝１４内に嵌入させるように、押下させるのみの作業のみで、この固定ピン２が軸受ブラケット８の両側に配設される係止部１５の各係止片１９に保持され、これにより、巻取固定軸３０は軸受ブラケット８に固定されることとなる。
【００２９】
すなわち、巻取固定軸３０を軸受ブラケット８に対して上方より嵌入させる作業のみで、この巻取固定軸３０は軸受ブラケット８に取り付けられることとなることから、従来のような狭い場所における煩雑な作業を行う必要がなく、その組み付け作業が容易なものとなり、短時間でシャッターケース３５内に巻取固定軸３０を組み付けることが可能となる。
【００３０】
また、この巻取固定軸３０に配設されている固定ピン２が軸受ブラケット８の溝１４内に嵌入されることから、軸受ブラケット８に対する軸方向の抜け止めが行われることとなり、さらに、固定ピン２が、係止部１５によって保持されることとなるので、溝１４から抜け出ることはなく、巻取固定軸３０は軸受ブラケット８に確実に取り付けられることとなる。
【００３１】
そして、この巻取固定軸支持構造１によれば、このシャッター装置が故障となったり、保守作業を行うときに、シャッターケース３５から巻取固定軸３０を取り外す作業を行う場合に、巻取固定軸３０に貫通されている固定ピン２を抜脱するのみで、軸受ブラケット８に対して巻取固定軸３０がフリーとなり、この巻取固定軸３０を取り外すことが可能となるので、保守作業等が容易に行えることとなる。
【００３２】
なお、上述した実施の形態では、係止部１５の形状を左右一対の係止片１９で構成し、各係止片１９を板材を折曲して略鉤状に形成させた例について述べたが、この形状に限ることはなく、例えば図７に示すように、左右それぞれの係止片１９’が、対向する鉤爪にて構成され、各鉤爪の基端側が弾性を有する構造とし、溝１４内に嵌入される固定ピン２を保持するように構成してもよく、すなわち、溝１４内に嵌入される固定ピン２を、その嵌入と同時にこの固定ピン２を保持する構造であれば、上記構造に限定されるものではない。
【００３３】
また、上述した実施の形態では、固定ピン２をボルト６とナット７で構成した例について述べたが、これに限ることはなく、例えば割りピンなどで構成してもよい。
【００３４】
【発明の効果】
以上説明したように本発明によるシャッターの巻取固定軸支持構造では、巻取固定軸の端部に予め固定ピンを取り付けた状態で、シャッターケースへの取付作業となり、この巻取固定軸の端部を軸受ブラケットに取り付ける際に、この軸受ブラケットへ巻取固定軸を嵌入させるとともに、この巻取固定軸の端部に予め取り付けられている固定ピンを、軸受ブラケットの溝内に嵌入させるように、押下させるのみの作業のみで、この固定ピンの両端が係止部に保持され、これにより、巻取固定軸は軸受ブラケットに取り付けられることとなる。
すなわち、巻取固定軸を軸受ブラケットに対して上方より嵌入させる作業のみで、この巻取固定軸は、固定ピンによって軸受ブラケットに確実に取り付けられることとなることから、その作業は容易なものとなり、短時間でシャッターケース内に巻取固定軸を組み付けることができるという効果を得られる。
【００３５】
また、この巻取固定軸支持構造によれば、固定ピンが巻取固定軸に対して着脱が自在であることから、このシャッター装置が故障となったり、保守作業を行うときに、シャッターケースから巻取固定軸を取り外す作業を行う場合に、巻取固定軸に貫通されている固定ピンを抜脱するのみで、軸受ブラケットに対して巻取固定軸がフリーとなり、この巻取固定軸を取り外すことが可能となるので、保守作業等が容易に行えるという効果がある。
【図面の簡単な説明】
【図１】本発明によるシャッターの巻取固定軸支持構造の実施の形態を示す斜視図
【図２】同巻取固定軸支持構造における巻取固定軸の平面図
【図３】同軸受ブラケットの斜視図
【図４】同係止部の斜視図
【図５】同巻取固定軸支持構造の正面図
【図６】同平面図
【図７】他の実施の形態の概略斜視図
【符号の説明】
１…巻取固定軸支持構造
２…固定ピン
８…軸受ブラケット
１２…開放部
１４…溝
１５…係止部
３０…巻取固定軸
３１…端部
３５…シャッターケース
３６…側板（ブラケット）
３７…側板面（内側面）
【図１】
0003787920.tif 000002
【図２】
0003787920.tif 000003
【図３】
0003787920.tif 000004
【図４】
0003787920.tif 000005
【図５】
0003787920.tif 000006
【図６】
0003787920.tif 000007
【図７】
0003787920.tif 000008